(57)【要約】  患者コホート識別において、特徴のセット２４に依存する患者比較メトリックを用いて、患者の分類３０が実行される。該分類に従って、クエリ患者に類似する又は類似しないサンプル患者についての情報が表示される。サンプル患者をクエリ患者と比較する、ユーザ入力された比較値が受信される。該ユーザ入力された比較値に対する向上した一致度を持つ調節された患者比較メトリックを生成するよう、特徴のセット及び／又は特徴重みが調節される。該分類は、該調節された患者比較メトリックを用いて繰り返される。最後の分類の繰り返しによって生成されたクエリ患者を含むクラスタ３４から、患者コホートが識別される。それぞれが２つ以上のモダリティの特徴に対してサンプル患者及びクエリ患者をプロットする、２つ以上のグラフィカルなモダリティ表現７０、７２、７４を同時に表示することにより、サンプル患者についての情報が表示されても良い。
2019512795.tif 000002
【特許請求の範囲】
【請求項１】
患者コホート識別装置であって、
表示要素及び少なくとも１つのユーザ入力装置を持つコンピュータを有し、前記コンピュータは、患者データベース中の患者についての特徴の値を有する患者データを保存する患者データベースと通信し、前記コンピュータは、患者コホート識別方法を実行するようプログラムされ、前記方法は、
特徴のセットを選択するための患者データに対する自動特徴選択処理、及び前記特徴のセットに依存した患者比較メトリックを用いた前記患者データベースの患者の自動分類を実行するステップ
を含み、前記方法は更に、
前記自動分類に従ってクエリ患者に類似する又は類似しない１人以上のサンプル患者についての情報を前記表示要素上に表示し、前記少なくとも１つのユーザ入力装置を介して前記１人以上のサンプル患者を前記クエリ患者と比較するユーザ入力された比較値を受信するステップと、
前記ユーザ入力された値と前記１人以上のサンプル患者を前記クエリ患者と比較する前記患者比較メトリックによって計算された比較値との間の一致度を上昇させるよう前記患者比較メトリックを調節するステップであって、前記特徴のセット及び前記患者比較メトリックの特徴の重みの少なくとも一方を調節することを含む、ステップと、
前記調節された患者比較メトリックを用いて前記自動分類を繰り返すステップと、
の少なくとも１回の繰り返しを実行するステップ
を含み、前記方法は更に、最後の繰り返しにより生成された前記調節された患者比較メトリックを用いて前記クエリ患者について患者コホートを識別するステップ
を含む、患者コホート識別装置。
【請求項２】
前記識別するステップは、
前記自動分類の最後の繰り返しにより生成された前記クエリ患者を含むクラスタの少なくとも一部として患者コホートを識別するステップ
を含む、請求項１に記載の患者コホート識別装置。
【請求項３】
前記表示し受信するステップは、
最も直近に実行された自動分類によって生成された前記クエリ患者を含むクラスタに属する１人以上の類似するサンプル患者についての情報を、前記表示要素上に表示するステップ
を有する、請求項１又は２に記載の患者コホート識別装置。
【請求項４】
前記表示し受信するステップは、
最も直近に実行された自動分類によって生成された前記クエリ患者を含むクラスタに属さない１人以上の類似しないサンプル患者についての情報を、前記表示要素上に表示するステップ
を有する、請求項１又は２のいずれか一項に記載の患者コホート識別装置。
【請求項５】
前記表示し受信するステップは、少なくとも１人のサンプル患者について、
量的なランク付けのスケールで前記クエリ患者に対する前記サンプル患者の類似度をランク付けする要求を表示するステップと、
前記量的なランク付けのスケールでの前記サンプル患者の前記受信された類似度ランク付けとして、前記サンプル患者についてのユーザ入力された比較値を受信するステップと、
を有する、請求項１乃至４のいずれか一項に記載の患者コホート識別装置。
【請求項６】
前記表示し受信するステップは、２人のサンプル患者について、
前記２人のサンプル患者のうちどちらが前記クエリ患者に類似しているかを選択する要求を表示するステップと、
前記２人のサンプル患者のうちどちらが前記クエリ患者に類似しているかの前記受信された選択として、ユーザ入力された比較値を受信するステップと、
を有する、請求項１乃至５のいずれか一項に記載の患者コホート識別装置。
【請求項７】
前記表示するステップは、
それぞれが２つ以上のモダリティの特徴に対して前記１人以上のサンプル患者及び前記クエリ患者をプロットする、２つ以上のグラフィカルなモダリティ表現を同時に表示するステップ
を有する、請求項１乃至６のいずれか一項に記載の患者コホート識別装置。
【請求項８】
前記２つ以上のグラフィカルなモダリティ表現は、臨床、放射線、ゲノム、人口統計学的及び生理学的モダリティから成る群から選択されたモダリティについてのグラフィカルなモダリティ表現を含む、請求項７に記載の患者コホート識別装置。
【請求項９】
前記調節するステップは、
（１）特徴を追加又は削除して調節された特徴のセットの候補を生成することにより、前記特徴のセットを調節する動作と、
（２）前記１人以上のサンプル患者を前記クエリ患者と比較する、前記調節された特徴のセットの候補を用いた患者比較メトリックを用いて、比較値を計算する動作と、
（３）前記動作（２）において計算された計算値が、前記ユーザ入力された比較値に対して一致度が増大したか減少したかに基づいて、前記調節された特徴のセットの候補を許容又は破棄する動作と、
をそれぞれが含む複数の特徴セット調節の繰り返しを実行するステップを有する、請求項１乃至８のいずれか一項に記載の患者コホート識別装置。
【請求項１０】
前記調節するステップは、前記特徴のセットにおける特徴の数を減少させる次元低減を実行するステップを有する、請求項１乃至８のいずれか一項に記載の患者コホート識別装置。
【請求項１１】
前記調節するステップは、前記患者比較メトリックの特徴重みを調節するステップを有する、請求項１乃至１０のいずれか一項に記載の患者コホート識別装置。
【請求項１２】
前記調節するステップは、
（１）前記患者比較メトリックの少なくとも１つの特徴重みの値を増大又は減少させて、調節された患者比較メトリックの候補を生成することにより、患者比較メトリックを調節する動作と、
（２）前記１人以上のサンプル患者を前記クエリ患者と比較する、前記調節された患者比較メトリックの候補を用いて、比較値を計算する動作と、
（３）前記動作（２）において計算された計算値が、前記ユーザ入力された比較値に対して一致度が増大したか減少したかに基づいて、前記調節された患者比較メトリックの候補を許容又は破棄する動作と、
をそれぞれが含む複数の特徴重み調節の繰り返しを実行するステップを有する、
請求項１１に記載の患者コホート識別装置。
【請求項１３】
前記自動特徴選択処理は、主成分分析、情報取得、及び対特徴相関の１つである、請求項１乃至１２のいずれか一項に記載の患者コホート識別装置。
【請求項１４】
患者コホート識別装置であって、
表示要素及び少なくとも１つのユーザ入力装置を持つコンピュータを有し、前記コンピュータは、患者データベース中の患者についての特徴の値を有する患者データを保存する患者データベースと通信し、前記コンピュータは、患者コホート識別方法を実行するようプログラムされ、前記方法は、
それぞれが２つ以上のモダリティの座標特徴に対してデータベースの患者をプロットする、２つ以上のグラフィカルなモダリティ表現を、前記表示要素上に同時に表示するステップと、
１つのグラフィカルなモダリティ表現における患者のクラスタの選択を受信するステップと、
前記選択の受信に応答して、他の同時に表示されたグラフィカルなモダリティ表現における選択された患者のクラスタの患者を強調するステップと、
を含む、患者コホート識別装置。
【請求項１５】
前記受信するステップは、１つのグラフィカルなモダリティ表現に対して動作する少なくとも１つのユーザ入力装置を介して、患者のクラスタの選択を受信するステップを有する、請求項１４に記載の患者コホート識別装置。
【請求項１６】
前記１つのグラフィカルなモダリティ表現に対して動作する少なくとも１つのユーザ入力装置を介して、患者のクラスタの選択を受信するステップは、
マウス、トラックボール、トラックパッド、タッチスクリーン又はその他のポインティングデバイスの１つを有する前記少なくとも１つのユーザ入力装置を介して、前記患者のクラスタの包含を受信するステップ
を有する、請求項１５に記載の患者コホート識別装置。
【請求項１７】
前記受信するステップは、コンピュータ上で動作する他のコンピュータプログラムから患者のクラスタの選択を受信するステップを有する、請求項１４に記載の患者コホート識別装置。
【請求項１８】
前記患者コホート識別方法は更に、
同時に表示されたグラフィカルなモダリティ表現の１つについて２つ以上の座標特徴の更新の選択を受信するステップを含み、前記グラフィカルなモダリティ表現は、前記更新されたモダリティの２つ以上の座標特徴に対してデータベースの患者をプロットするよう更新される、請求項１４乃至１７のいずれか一項に記載の患者コホート識別装置。
【請求項１９】
前記２つ以上のグラフィカルなモダリティ表現は、臨床、放射線、ゲノム、人口統計学的及び生理学的モダリティから成る群から選択されたモダリティについてのグラフィカルなモダリティ表現を含む、請求項１４乃至１８のいずれか一項に記載の患者コホート識別装置。
【請求項２０】
患者コホート識別方法であって、前記方法は、表示要素及び少なくとも１つのユーザ入力装置を持ち、患者データベース中の患者についての特徴の値を有する患者データを保存する患者データベースと通信するコンピュータとともに実行され、前記患者コホート識別方法は、
特徴のセットに依存した患者比較メトリックを用いた前記患者データベースの患者の自動分類を実行するステップ
を含み、前記方法は更に、
前記自動分類に従ってクエリ患者に類似する又は類似しない１人以上のサンプル患者についての情報を前記表示要素上に表示し、前記少なくとも１つのユーザ入力装置を介して前記１人以上のサンプル患者を前記クエリ患者と比較するユーザ入力された比較値を受信するステップと、
調節のない患者比較メトリックと比較して、前記ユーザ入力された値との改善された一致を持つ調節された患者比較メトリックを生成するよう、前記特徴のセット及び前記患者比較メトリックの特徴の重みの少なくとも一方を調節するステップと、
前記調節された患者比較メトリックを用いて前記自動分類を繰り返すステップと、
の少なくとも１回の繰り返しを実行するステップ
を含み、前記方法は更に、
最後の繰り返しの前記自動分類の反復によって生成された前記クエリ患者を含むクラスタの少なくとも一部として、前記クエリ患者についての患者コホートを識別するステップ
を含む、患者コホート識別方法。
【請求項２１】
前記表示し受信するステップは、
量的なランク付けのスケールで前記クエリ患者に対する前記サンプル患者の類似度をランク付けする要求を表示し、前記量的なランク付けのスケールでの前記サンプル患者の前記受信された類似度ランク付けを受信するステップと、
２人のサンプル患者のうちどちらが前記クエリ患者に類似しているかを選択する要求を表示し、前記２人のサンプル患者のうちどちらが前記クエリ患者に類似しているかの選択を受信するステップと、
の少なくとも一方を有する、請求項２０に記載の患者コホート識別方法。
【請求項２２】
前記表示するステップは、
それぞれが２つ以上のモダリティの特徴に対して前記１人以上のサンプル患者及び前記クエリ患者をプロットする、２つ以上のグラフィカルなモダリティ表現を同時に表示するステップ
を有する、請求項２０又は２１に記載の患者コホート識別方法。
【発明の詳細な説明】
【技術分野】
【０００１】
本発明は、一般的に医療分野、電子臨床決定支援（ＣＤＳ）分野、臨床検査分野、ゲノム分野及び関連分野に関する。
【背景技術】
【０００２】
種々の医療タスクは、関連する類似性を持つ患者のコホート（cohort）を識別することから利益を得る。例えば、臨床試験を設計する際の重要な最初のステップは、臨床試験の登録のため患者を識別することである。結果の正当性を確実にするため、登録された患者は、他の患者と十分に類似しているべきであり、これにより、異なる患者結果が、年齢、性別、民族性、慢性の医療条件の有無等（これらが臨床試験の目標に関連しない場合）における相違のような外来性の要因による患者結果の相違ではなく、臨床試験の対象（例えば新たな製薬）に信頼性高く起因するものとなるようにするべきである。患者結果は多くの関連する要因によって影響を受け得るため、臨床試験において登録するため適切な患者を識別するタスクは困難である。
【発明の概要】
【発明が解決しようとする課題】
【０００３】
コホート識別はまた、登録の後に、臨床試験の結果の解析の間に実施されても良い。該登録の範囲内で、負の結果を持つか正の結果を持つかで、患者が関連のある２つのコホートを自然に形成する。しかしながら、臨床試験の生のデータ結果に影響を与え得るいずれかの外来性の要因を識別し考慮するため、これらのコホートが更に、正及び負のコホート内で類似性及び相違性に基づいて更にセグメント化されても良い。
【０００４】
類似コホート識別タスクは、例えば疾患リスク因子を評価するため、又は種々の以前の検査からのデータを組み合わせる「メタ検査」を実行する際のように、他のタイプの医療検査において実行される。
【０００５】
他の医療タスクは、臨床診断及び患者の処置を含む。斯かるタスクにおいては、臨床医は、類似する過去の患者と現在の患者を比較することから利益を得ることができる。ここでもまた、「類似する」患者を識別するタスクは困難である。２人の患者は同一ではなく、コホート選択タスクは、どの相違が重要であるか重要でないかを評価することを必要とする。
【０００６】
以下は、以上に言及された問題及びその他の問題に対処する新規で改善されたシステム及び方法を開示する。
【課題を解決するための手段】
【０００７】
開示される一態様においては、患者コホート識別装置が開示される。コンピュータは、表示要素及び少なくとも１つのユーザ入力装置を持つ。前記コンピュータは、患者データベース中の患者についての特徴の値を有する患者データを保存する患者データベースと通信する。前記コンピュータは、以下を含む患者コホート識別方法を実行するようプログラムされる。特徴のセットを選択するための患者データに対する自動特徴選択処理が実行され、前記特徴のセットに依存した患者比較メトリックを用いた前記患者データベースの患者の自動分類が実行される。少なくとも１回の繰り返しが実行され、該繰り返しは、前記自動分類に従ってクエリ患者に類似する又は類似しない１人以上のサンプル患者を前記表示要素上に表示するステップと、前記少なくとも１つのユーザ入力装置を介して前記１人以上のサンプル患者を前記クエリ患者と比較するユーザ入力された比較値を受信するステップと、前記ユーザ入力された値と前記１人以上のサンプル患者を前記クエリ患者と比較する前記患者比較メトリックによって計算された比較値との間の一致度を上昇させるよう前記患者比較メトリックを調節するステップであって、前記特徴のセット及び前記患者比較メトリックの特徴の重みの少なくとも一方を調節することを含む、ステップと、前記調節された患者比較メトリックを用いて前記自動分類を繰り返すステップと、を含む。最後の繰り返しにより生成された前記調節された患者比較メトリックを用いて、前記クエリ患者についての患者コホートが識別される。
【０００８】
他の開示される態様においては、患者コホート識別装置が開示される。コンピュータは、表示要素及び少なくとも１つのユーザ入力装置を持つ。前記コンピュータは、患者データベース中の患者についての特徴の値を有する患者データを保存する患者データベースと通信する。前記コンピュータは、それぞれが２つ以上のモダリティの座標特徴に対してデータベースの患者をプロットする、２つ以上のグラフィカルなモダリティ表現を、前記表示要素上に同時に表示するステップと、１つのグラフィカルなモダリティ表現における患者のクラスタの選択を受信するステップと、前記選択の受信に応答して、他の同時に表示されたグラフィカルなモダリティ表現における選択された患者のクラスタの患者を強調するステップと、を含む、患者コホート識別方法を実行するようプログラムされる。
【０００９】
他の開示される態様においては、患者コホート識別方法が開示され、前記方法は、表示要素及び少なくとも１つのユーザ入力装置を持ち、患者データベース中の患者についての特徴の値を有する患者データを保存する患者データベースと通信するコンピュータとともに実行される。前記患者コホート識別方法は、以下を含む。特徴のセットに依存した患者比較メトリックを用いて、前記患者データベースの患者の自動分類が実行される。前記自動分類に従ってクエリ患者に類似する又は類似しない１人以上のサンプル患者についての情報を前記表示要素上に表示するステップと、前記少なくとも１つのユーザ入力装置を介して前記１人以上のサンプル患者を前記クエリ患者と比較するユーザ入力された比較値を受信するステップと、調節のない患者比較メトリックと比較して、前記ユーザ入力された値との改善された一致を持つ調節された患者比較メトリックを生成するよう、前記特徴のセット及び前記患者比較メトリックの特徴の重みの少なくとも一方を調節するステップと、前記調節された患者比較メトリックを用いて前記自動分類を繰り返すステップと、を含む少なくとも１回の繰り返しが実行される。最後の繰り返しの前記自動分類の反復によって生成された前記クエリ患者を含むクラスタの少なくとも一部として、前記クエリ患者についての患者コホートが識別される。
【００１０】
利点のひとつは、改善されたコホート選択についての臨床医からの適合性フィードバック（relevance feedback）を提供する点にある。
【００１１】
他の利点は、臨床医による全体的な患者レベルの解析に基づくコホート選択についての適合性フィードバックを提供する点にある。
【００１２】
他の利点は、臨床医が特徴レベルの解析を実行することなく、関連する特徴の選択についての臨床医からの適合性フィードバックを提供する点にある。
【００１３】
他の利点は、臨床医が種々のモダリティの相互関係（臨床、放射線、ゲノム、人口統計学的、生理学的等）を視覚化することができる、グラフィカルなユーザインタフェースを提供する点にある。
【００１４】
所与の実施例は、以上の利点のうちの０個、１つ、２つ、それ以上又は全てを提供し得、及び／又は、本開示を読み理解することにより当業者には明らかとなる他の利点を提供し得る。
【００１５】
本発明は、種々の構成要素及び構成要素の配置、並びに種々のステップ及びステップの配置の形をとり得る。図面は単に好適な実施例を説明する目的のためのものであり、本発明を限定するものとして解釈されるべきではない。
【図面の簡単な説明】
【００１６】
【図１】患者コホート識別装置を図式的に示す。
【図２】図１の患者コホート識別装置により適切に実行される患者コホート識別方法を図式的に示す。
【図３】図２の方法の提示動作の適切な実施例の例を図式的に示す。
【図４】図２の方法の提示動作の適切な実施例の例を図式的に示す。
【図５】ここで記載される患者コホート視覚表現及びナビゲーションツールを図式的に示す。
【発明を実施するための形態】
【００１７】
ここで、コホートを選択することの複雑さが、患者をコホートにグループ化するための適切な（低減された）患者特徴セットを選択することにより低減させられ得ることが認識される。コホートを選択するために用いられる患者特徴は、当面の医療タスク（例えば臨床試験における登録のため患者を選択すること、又は現在臨床診断中である患者に類似する患者を選択すること、等）に関連のあるものを含むべきであり、当該医療タスクに関連しない患者特徴を含むべきではない。特徴選択は、利用可能な患者特徴の数は非常に多く、例えば人口統計学的データ（年齢、性別、体重、民族性等）、常習的な行動条件（喫煙、大量のアルコール消費、種々の娯楽薬の消費等）の有無、種々の慢性臨床条件（高血圧、糖尿病、喘息、心臓病等）の有無、種々の急性疾患（肺炎又はその他の急性呼吸病、種々の腫瘍状態等）の有無、これらに関する特徴（例えば癌のステージ及びグレード、等を含み得るため、容易なものではない。遺伝子のシーケンシングは、種々の医療条件との変化する既知の又は考えられ得る相関を持つ、多くのゲノム標識を提供し得るため、急速に発展するゲノム分野が、利用可能な患者特徴のリストに迅速に追加している。例えば、幾つかの医療データベースは、数百以上の特徴を定義するデータを含み、ゲノムデータの利用可能性の継続的な拡大は、患者についての特徴の数を数千にまで増大させ得る。斯かる大きな特徴空間は、臨床タスクについてコホートを選択するための「最適な」特徴セットを選択するための、大きな困難さをもたらしている。
【００１８】
種々の教師なしの（低減された）特徴セット選択手法が知られている。典型的な自動化された特徴選択手法は、特徴の弁別力を測定し、最も弁別的な特徴を選択する。斯かる手法のひとつは、主成分分析（ＰＣＡ）であり、低減された数の特徴を持つデータセットの分散を捕捉するよう特徴を選択する。例えば特徴毎の情報取得（ＩＧ）、又は種々の対毎の特徴相関メトリック（例えば最も高いＩＧを提供する特徴を選択すること、又は他の特徴と強く相関する特徴を除去すること）といった、他の区別メトリックが利用されても良い。
【００１９】
強力であるが教師なし自動特徴セット選択手法は、患者コホートを識別するための特徴を選択するために用いられる場合、大きな制限を持つ。臨床タスクと相関しない非常に弁別的な特徴は、あまり弁別力がないが医療タスクと相関している他の特徴より、選択され得る。教師なし特徴セット選択手法は、患者特徴がなぜ根拠となるべきかについての生理学的な根拠を考慮に入れることができない。例えば、特定の代謝経路についての問題によって疑われる臨床状態を考える。当該代謝経路の一部であると知られているゲノム標識は、この場合には関連性のあるものである見込みが高いが、ＰＣＡ又はその他の教師なし特徴選択手法は、全体的な弁別力が低い場合には、当該ゲノム標識を選択しない可能性がある。
【００２０】
原則的に、これらの問題は、臨床医により実行される手動の特徴選択、又は医師が教師なし自動特徴選択により生成された初期特徴セットを調節する（適合性フィードバック）ハイブリッド型の手法によって、軽減され得る。しかしながら、実際には臨床医は、或る患者がなぜ対象の患者（ここでは「クエリ患者」と呼ばれる）に類似する又は類似しないと考えられるかを、特定の特徴について明瞭に表現できない場合がある。臨床医は、医師の過去の体験及び学習の全体について、患者を全体的にみる傾向がある。従って、臨床医は、どの特徴が効果的に類似性又は非類似性を要約するかを正確に表現することができない状態で、特定の患者がクエリ患者に類似する又は類似しないと認識し得る。更に、所与の臨床タスクについて根拠となる特徴を識別するための数百もの利用可能な特徴の候補を調べるために必要な時間を熟練の臨床医がとることは、実用的ではない。
【００２１】
ここで開示される手法は、自動的に選択される特徴セットを用いて実行された自動分類の閲覧を通して患者レベルにおいて臨床医により提供された後続する適合性フィードバックと教師なし特徴選択を組み合わせることにより、これらの困難さを克服する。これらの手法においては、クエリ患者及びその他のクラスタを含む患者のクラスタを識別するため教師なし自動患者分類を実行するために、初期の自動化された特徴セットが利用される。クエリ患者を含むクラスタは、初期特徴セットによる類似する患者のセットを定義し、他のクラスタは、種々のあまり類似しない患者をグループ化する。臨床医は次いで、これらの分類結果を閲覧し、類似する又は類似しない患者を選択する（適合性フィードバック）。次いで、これらの臨床医の選択に好適に合致するよう特徴セットが自動的に調節され、該調節された特徴セットを用いて分類が繰り返される。この処理は、教師なし自動分類が、臨床医が（少なくとも部分的に）満足できるクラスタを生成するまで、繰り返されても良い。
【００２２】
当該手法は、大きな特徴空間の初期の近似的な選別を提供するための、教師なし特徴セット選択の能力を利用する。ＰＣＡ又はその他の教師なし特徴選択処理により選択された初期特徴セットを用いて、当該初期特徴セットを用いて測定されたクエリ患者に類似する（又は類似しない）患者を識別するよう患者が分類される。臨床医は、１つ以上の類似する（又は類似しない）サンプル患者を提示され、臨床医が適合性フィードバックを提供することができるユーザインタフェースを提供される。例えば、医師は、診断されている患者（クエリ患者ＰＱ）に類似するもものとして初期の分類において識別された類似するサンプル患者のセット｛ＰＣ｝を提示され得る。これらの「類似する」サンプル患者は例えば、分類がクエリ患者ＰＱを割り当てた同じクラスタから、又は初期の特徴セットにより定義された距離メトリックを用いて最短距離｜ＰＱ−ＰＣ｜を持つクラスタのサブセットから引き出されても良い。医師は次いで、ランクスケール１乃至５を用いて、クエリ患者ＰＱに類似する又は類似しないものとして患者をランク付けしても良く、ここで１は最も類似し５が最も類似しないことを示す。その後、考慮される患者についての医師の類似度ランクに最も整合する調節された特徴セットを生成するため、特徴セット調節が実行される。分類が再び繰り返され、クエリ患者ＰＱ又は幾つかのそのサブセットを含むクラスタが再び、類似度ランク付けのため医師に提示される。当該処理は、クエリ患者ＰＱを含むクラスタが当面の医療タスクを実行するための適切なコホートであると医師が満足するまで、繰り返されても良い。
【００２３】
有利にも、適合性フィードバックのための当該手法は、臨床医が特徴空間の抽象化されたレベルにおいて特徴セットを評価することを必要としない。その代わり、臨床医は、個々の患者を比較及び対比するより慣れた設定で操作を行い、それにより臨床医が、医師の過去の体験及び学習の全体を利用して、適合性フィードバックの決定を為すことができる。好適には、ユーザインタフェースは、医師が考察中のそれぞれの提案された類似する患者ＰＣの完全な医療記録を探し、更にクエリ患者ＰＱの完全な医療記録を探して、臨床医がアクセスのために利用している情報の同じ供給源を用いて適合性フィードバック評価を為すことを可能とする。
【００２４】
図１を参照すると、患者コホート識別装置は、表示要素及び少なくとも１つのユーザ入力装置を持つコンピュータを含む。図示されるコンピュータは、２つのコンピュータ、即ち特徴選択又は分類のような計算が集中する動作を実行するサーバコンピュータ１０と、表示要素１４並びに例えばキーボード１６及びマウス１８（又はトラックボール、トラックパッド、タッチスクリーン若しくはその他のポインティングデバイス）のような少なくとも１つのユーザ入力部を含むか又はこれらと動作可能に接続された、デスクトップコンピュータ、ノート型コンピュータ、タブレットコンピュータ等のような、ユーザインタフェースコンピュータ１２と、を含む。コンピュータ１０、１２は、患者データベース中の患者についての特徴の値を有する患者データを保存する患者データベース２０と通信する。患者データベース２０は例えば、電子健康記録（ＥＨＲ）、電子医療記録（ＥＭＲ）、画像保存及び通信システム（放射線画像／データのために利用されるＰＡＣＳ）、心臓血管情報システム（ＣＶＩＳ）、又はこれらの種々の組み合わせ等の１つ以上を含んでも良い。種々の要素１０、１２、２０は、病院のローカルエリアネットワーク（ＬＡＮ）、無線ＬＡＮ（ＷＬＡＮ）、インターネット、又はこれらの種々の組み合わせ等のような、種々のデータ経路により相互接続されても良い。
【００２５】
コンピュータ１０、１２は、種々の処理を実装するようプログラムされる。自動特徴選択処理２２は、患者データベース２０に含まれる利用可能な、又は患者データベース２０に含まれる情報から導出可能な、特徴の典型的に非常に大きなセットから、低減された特徴のセットを選択するよう実行される。特徴選択処理２２は例えば、主成分分析（ＰＣＡ）特徴選択処理、情報取得（ＩＧ）特徴ランク付け処理、又は対相関特徴除去処理等であっても良い。自動特徴選択処理２２は、特徴２４のセットを識別し、典型的には高い弁別力を持つ特徴を選択する。患者データベース２０は、数十、数百、又はそれ以上の特徴を患者毎に保存し得る（明示的に又は暗黙的に、即ち他の保存された情報から導出可能）ことは理解されるであろう。幾つかの限定するものではない特徴の例は、人口統計学的特徴（患者の年齢、性別、体重、民族性等）、常習的な行動条件（喫煙、大量のアルコール消費、種々の娯楽薬の消費等）の有無を示す特徴、種々の慢性臨床条件（高血圧、糖尿病、喘息、心臓病等）の有無を示す特徴、種々の急性疾患（肺炎又はその他の急性呼吸病、種々の腫瘍状態等）の有無を示す特徴、癌のステージ、癌のグレードのような状況に特有な特徴、特定の遺伝子の値、種々のタンパク質発現レベル、又はその他の遺伝標識のようなゲノム特徴、等を含む。患者データセット２６が斯くして生成され、各患者が、特徴のセット２４の特徴について患者データベース２０から引き出された値によって注記付けされるか又は表現される。
【００２６】
分類処理３０は、患者データセット２６の患者を、クラスタのセット３２へとグループ化するため、教師なし学習を実行する。一般的に、目標は、クエリ患者ＰＱに類似する患者の患者コホートを識別することであり、従って、クラスタのセット３２は、クエリ患者ＰＱを含むクラスタ３４（換言すれば、クラスタ３４は、クエリ患者ＰＱが属する分類処理３０により生成されたクラスタである）と、分類処理により生成された他のクラスタ３６と、を含む。分類処理は、ｋ平均分類、連結度ベース又は階層的分類、セントロイドベースの分類、又は期待値最大化（ＥＭ）分類等のような、いずれの既知の分類手法を利用しても良い。該分類は、特徴のセット２４に依存する患者比較メトリックを利用する。２人の患者Ｐｉ及びＰｊについて、これらの２人の患者を比較する患者比較メトリックの値は、ここでは省略表記｜Ｐｉ−Ｐｊ｜を用いて記述される。限定するものではない例として、患者比較メトリックは、より類似する患者について値が小さくなるような距離メトリックであっても良い。幾つかの適切な距離メトリックは、ユークリッド距離：
【数１】
2019512795.tif 000003
であり、ここでｎ＝１、…、Ｎは、特徴のセット２４の特徴をインデクシングし
ｆｎ，ｉ及びｆｎ，ｊは、それぞれ患者Ｐｉ及びＰｊについてのｎ番目の特徴の値であり、ｗｎは、式（１）のユークリッド距離におけるｎ番目の特徴についての特徴重みである。他の例としては、患者比較メトリックは、平方根が省略されること以外は式（１）と同一であるユークリッド二乗距離であっても良い。距離メトリックの代わりに、患者比較メトリックは代替として、より類似する患者について値が大きくなるような類似度メトリックであっても良い。これらは単に例である。一般的に、患者比較メトリックは好適には、特徴のセット２４に機能的に依存し、個々の特徴の寄与が特徴重み（例えば式（１）のユークリッド距離の例における特徴重みｗｎ）により制御される。調節可能な特徴重みを含まない患者比較メトリックを利用することも考えられ得る。
【００２７】
選択された分類処理３０について、分類結果３２の特性は、患者比較メトリックの詳細、特に患者比較メトリックが機能的に依存する特徴のセット２４、及び特徴重み（利用可能である場合）に依存する。自動特徴選択処理２２は、弁別能力の評価に基づいて特徴を選択するが、当該手法は、当面の医療タスクにより強く相関する、又は、当面のタスクに関連する幾つかの生理学的な根拠を持つ、低い弁別能力を持つ他の特徴よりも、高い弁別力の特徴を選択し得る。
【００２８】
図１の患者コホート識別装置の例においては、これらの問題は、患者比較メトリックを改善するよう適合性フィードバックを提供することにより、例えば特徴のセット２４及び／又は特徴重みを調節することにより、対処される。この目的のため、例えば図示された実施例におけるコンピュータ１２において、グラフィカルユーザインタフェース（ＧＵＩ）処理４０が実装される。ＧＵＩ処理４０は、自動分類に従って、クエリ患者ＰＱに類似する又は類似しない１人以上のサンプル患者についての情報を（表示要素１４上に）提示する。例えば、該サンプル患者は、クエリ患者ＰＱを含むクラスタ３４から（疑似）ランダム的に選択された類似サンプル患者であっても良い。代替としては、類似サンプル患者は、例えば患者比較メトリックにより測定されたクエリ患者ＰＱに最も近い患者を選択することにより、非ランダム的に当該クラスタ３４から選択されても良い。これに加えて又は代替として、類似しないサンプル患者が、例えばランダム的に又は患者比較メトリックにより測定されたクエリ患者ＰＱからのセントロイドが最も遠い他のクラスタから、選択されても良い。サンプル患者は、表示要素１４を介してユーザに提示され、臨床医は、１人以上のサンプル患者をクエリ患者と比較する比較値を提供するよう要求される。例えば、臨床医は、クエリ患者に対するサンプル患者の類似度を、１乃至５のスケールで（又は１乃至１０のスケール等で）ランク付けするよう要求されても良い。これに加えて又は代替として、臨床医は、２人のサンプル患者のどちらのほうがクエリ患者に類似するかを選択するよう要求されても良い。斯かる手法は、特徴レベルで類似度を評価するよう臨床医に（少なくとも直接的には）要求しないものであり、患者レベルにおける評価を要求するものであることは、留意されるであろう。このことは、一般に臨床医の教育及び経験とともに患者記録におけるあらゆる利用可能な情報に基づいて患者を分析するよう訓練された一般的な臨床医の強みを利用するものである。この手法は、臨床医の自然な動作範囲ではない特徴レベルの分析を医師が実行することを要求することを回避する。
【００２９】
ＧＵＩ処理４０は、少なくとも１つのユーザ入力装置１６、１８を介して、１人以上のサンプル患者をクエリ患者と比較するユーザ入力された比較値を受信する。このことは、「適合性フィードバック」を構成する。次いで、患者比較メトリック調節処理４２が、特徴のセット２４を調節し、及び／又は特徴重みｗｎを調節し、ユーザ入力された比較値と、１人以上のサンプル患者をクエリ患者ＰＱと比較する患者比較メトリックにより計算された比較値と、の間の一致度を上昇させるようにする。
【００３０】
一手法においては、患者比較メトリック調節処理４２は、それぞれが以下のように実行される、特徴セット調節の繰り返しを実行する。該繰り返しの第１のステップにおいては、特徴のセット２４は、該セットに特徴を追加し、又は該セットから特徴を除去し、特徴の調節されたセットの候補を生成することにより調節される。次いで、１人以上のサンプル患者をクエリ患者ＰＱと比較する特徴の調節されたセットの候補を持つ患者比較メトリックを用いて、比較値が計算される。特徴の調節されたセットの候補は、計算された比較値が、ユーザ入力された比較値に対して、それぞれ増大した一致度を呈するか、減少した一致度を呈するかに基づいて、許容されるか又は棄却される。棄却された場合には、特徴の調節されたセットの候補は破棄される。許容された場合、特徴の調節されたセットの候補は、新たな（即ち更新された）特徴のセット２４となる。この処理は、一定の回数だけ繰り返されても良いし、又は、幾つかの連続する反復の結果が棄却されるまで繰り返されても良いし、若しくは他の何らかの基準が用いられても良い。
【００３１】
他の手法においては、患者比較メトリック調節処理４２は、それぞれが以下のように実行される、特徴重み調節の繰り返しを実行する。該繰り返しの第１のステップにおいては、特徴比較メトリックの少なくとも１つの特徴重みの値を増大又は減少させて、調節された特徴比較メトリックの候補を生成することにより、患者比較メトリックが調節される。１人以上のサンプル患者をクエリ患者と比較する調節された患者比較メトリックを用いて、比較値が計算される。調節された患者比較メトリックの候補は、ユーザ入力された比較値に対して、それぞれ増大した一致度を呈するか、減少した一致度を呈するかに基づいて、許容されるか又は棄却される。許容された場合には、新たな特徴重みが利用され、棄却された場合には破棄される。
【００３２】
ここで図２を参照しながら、図１の患者コホート識別装置を用いて実行される処理が説明される。動作５０において、特徴選択処理２２が実行され、特徴の（初期の）セット２４を選択する。動作５２において、分類処理３０が実行され、（初期の）クラスタ３２を生成する。動作５４において、臨床医は、１人以上の類似する及び／又は類似しないサンプル患者を提示され、患者比較メトリックを用いて、クエリ患者ＰＱに対する類似度／非類似度が測定される。より詳細には、好適には、クエリ患者に対するサンプル患者の類似度のランク付けのような、臨床医が慣れた態様で形式化された情報に対する要求、又は２人のサンプル患者のうちどちらがクエリ患者に類似するかを識別する要求の形をとる、サンプル患者についての情報が提示される。動作５６において、ユーザ入力された比較値が受信される（例えばサンプル患者のランク付け、又は２人のサンプル患者のセットのうち類似するほうのサンプル患者の選択）。動作６０において、サンプル患者に適用された患者比較メトリックの、ユーザ入力された比較値との一致度を増大させるよう、特徴のセット２４及び／又は特徴重みｗｎが調節される。例えば、ユーザがサンプル患者をクエリ患者と非常に類似するとランク付けした場合、（調節された）患者比較メトリックにより測定される、より短いサンプル患者−クエリ患者間距離に帰着する調節が許容され、当該距離を増大させる調節は棄却される。動作６２において、調節された患者比較メトリックを用いて分類処理３０が繰り返される。フローは次いで動作５４に戻り、該動作により、臨床医は更新された分類に従って類似する及び／又は類似しない患者を提示される。このループは、動作６４において、最後の分類結果を閲覧した臨床医が、満足する結果であると結論するまで、いずれの回数だけ繰り返されても良い。
【００３３】
以下、臨床専門家による関連する特徴（動作５６からの）が短い距離を呈する、元の空間から新たな空間への特徴の自動化されたマッピングとして、動作６０を実装するための、幾つかの手法の例が開示される。第１の手法の例は、次元低減方法を利用し、第２の手法の例は、特徴重み調節方法を利用する。
【００３４】
次元低減を用いる第１の手法の例においては、患者Ｐ＝｛ｐ１，…，ｐｍ｝についての特徴Ｆ＝｛ｆ１，…，ｆｎ｝を含む患者データ（Ｖ）が表される。次いで、患者間の距離が計算されて、距離行列（Ｓｍ、サイズｍ×ｍの正方な対称の行列）が得られ、古典的な多次元尺度構成法（ＭＤＳ）が利用されて、当該データのより低い次元の射影が得られる。代替の手法においては、ＭＤＳ解析は、２から（ｍ−ｌ）の次元の数を特定し、それぞれの低次元の投射について患者ｐ１、…ｐｍの間の対のユークリッド距離を計算して、距離行列Ｄ（２），…Ｄ（ｍ−ｌ）を得ることにより、実行される。動作５６において、特定の患者（グループ又は別個の対）がより類似すると予測されると考える場合、当該グループにおける全てのとり得る対の間の対の距離が最小化される。ここで、当該メトリックが最小となる｛２，…，（ｍ−ｌ）におけるＫを特定する。行列表記：
【数２】
2019512795.tif 000004
及び
【数３】
2019512795.tif 000005
を用い、ここで行列Ｓｍは対称であり（ｄｍ（ｐ，ｑ）＝ｄｍ（ｑ，ｐ）；ｐ≠ｑ；ｐ＝｛１，…，ｍ｝；ｑ＝｛１，…，ｍ｝）、ＭＤＳ関数は距離行列（サイズｍ×ｍ）及び次元の数（ｌ；ｌ＜ｍ）をとる。範囲｛２，…（ｍ−ｌ）｝におけるｌについて、ｍ個の点の対毎の距離を計算して、対称な距離行列Ｄ（ｌ）を得る。医師のフィードバックに基づく類似する患者のグループは、Ｇ＝｛ｇ１，ｇ２，…｝と示され、ｇｉはＰからの患者のセットである。このとき、
【数４】
2019512795.tif 000006
及び
【数５】
2019512795.tif 000007
であり、ここでｋは、Ｇにおける患者グループを最も近くに配置する最も小さな次元を表す｛２，…，（ｍ−ｌ）｝における整数である。主成分分析（ＰＣＡ）又はその他の特徴低減アルゴリズムが、上位ｋ個の重要な特徴を特定するために利用される。これらｋ個の特徴は、動作６２において新たな患者を分類するために利用される。医師が情報入力したグループＧは任意に、相互検証を得るため及びオーバーフィッティング問題を回避するため分割される。
【００３５】
動作６０を実装するための第２の手法の例は、新たな空間における特徴値を、これら特徴の重要度の重みを調節することにより表す。例として、３人の患者の例が以下のとおりであるとする：
特徴値（３，２，４，７）を持つ患者Ｐ１
特徴値（３，３，３，３）を持つ患者Ｐ２
特徴値（４，４，４，７）を持つ患者Ｐ３
この表記において、各患者Ｐｉは、値（ｆ１，ｆ２，ｆ３，ｆ４）を持つ列１乃至４に特徴を持つ。説明のため、以下の距離が仮定される：
患者距離Ｄ（Ｐ１，Ｐ３）＝３
患者距離Ｄ（Ｐ１，Ｐ２）＝６
患者距離Ｄ（Ｐ２，Ｐ３）＝５
マンハッタン距離を用いた初期の分類動作５２において、第１のクラスタは患者Ｐ１及びＰ２を含み、患者Ｐ２は第２のクラスタにある。しかしながら、ことによると医師が特徴ｆ２及びｆ３がより重要であると考えるために、動作５６において該医師が、患者Ｐ２とＰ３とはより類似すると判断し、それにより分類がＰ２及びＰ３が同じクラスタに割り当てられ、Ｐ１が別個のクラスタに属するよう更新される。
【００３６】
新たなクラスタのセントロイドは、クラスタにおける特徴値の平均として算出され、Ｐｃ＝（３．５，３，３，５）である。次に、元のサンプルが新たな空間にマッピングされ、新たな空間における２つのサンプルのセントロイドに対する距離が最小である（前もって規定されていても良いし、又はユーザによって規定されても良い）。新たな空間の座標を調節するため、元の座標が各特徴についての調節された重みと乗算される（新たな空間における座標）。
【００３７】
これを解くため、一次方程式のセットが適切に用いられる。しかしながら、患者の数ｎと特徴の数ｍとは、通常等しくはない。従って、選択された患者の数ｐ（ｐ≦ｎ）について、新たな空間にマッピングされるべき最も変動する特徴のセットが導出される。表記すると、
ｗ１＊ｆ１１＋ｗ２＊ｆ１２＋…＋ｗｐ＊ｆ１ｐ＝ｄ１
ｗ２＊ｆ２１＋ｗ２＊ｆ２２＋…＋ｗｐ＊ｆ２ｐ＝ｄ２
…
ｗｐ＊ｆｐ１＋ｗ２＊ｆｐ２＋…＋ｗｐ＊ｆ２ｐ＝ｄ２
この目的のため、全ての特徴についての分散が算出され、上位ｐ個の変動する特徴が選択される。新たな行列は、ｐ×ｐの次元を持つ。該新たな行列について、適切な重みを見出すために、一次方程式のセットが解かれる。重みが決定されると、ユーザによって選択されなかった患者に対して、新たな空間へと、同じ重みが適用される。
【００３８】
以上の例においては、これは以下のように変形される：
ｗ１＊３＋ｗ４＊３＝ｄ１
ｗ１＊４＋ｗ４＊７＝ｄ２
ここでｗ１及びｗ４は重みであり、列１及び列４における特徴は（患者Ｐ１及びＰ２について）最も変動する特徴であると仮定される。
【００３９】
以上は単に例であり、動作６０を実行するための他の手法も考えられる。また、例えば重み調節（第２の手法の例）により後続される次元低減（第１の手法の例）を実行する、又はその逆のような、調節の組み合わせを利用することも考えられる。
【００４０】
図３を参照すると、表示要素１４における類似するサンプル患者の表現の例が示されており（即ち図２の動作５４）、ここでの例においては、クエリ患者ＰＱは「John Smith」であり、最後の分類の繰り返しにより特定された２人の類似するサンプル患者は「Bob Brown」及び「Mickey Red」である。２つの適合性フィードバック応答が要求される。第１のものは、「Bob Brown」の「John Smith」に対する類似度を１乃至５のスケールでランク付けする要求の形をとり、ここで「１」が最も類似し「５」が最も類似しないとするものである。臨床医は、この要求に回答するため、マウスポインタを用いて、「１」乃至「５」とラベル付けされたボタンの１つを選択することができる。第２の要求は、２人の患者「Bob Brown」及び「Mickey Red」のどちらがクエリ患者「John Smith」に類似するかを選択するものである。臨床医は、「Bob Brown」ボタン又は「Mickey Red」ボタンのいずれかを選択するようマウスポインタを用いることによりこれに回答することができる。
【００４１】
これら要求に有意に回答するため、臨床医は、クエリ患者「John Smith」について並びに各サンプル患者「Bob Brown」及び「Mickey Red」についての医療記録又はその他の患者情報を閲覧したいと欲する見込みが高いであろうことは理解されよう。この目的のため、これらの患者の１人に対する各参照は、図３の表示におけるハイパーリンクとして示され（患者名に下線を引くことにより示されている）、表示は「注：患者の医療記録をポップアップウィンドウで閲覧するには上の患者名のいずれかをクリックしてください」と説明している。斯くして、臨床医がマウスポインタを用いて「John Smith」をクリックすることに応答して、John Smithについての患者記録情報が表示されたポップアップウィンドウ（図示されていない）が表示され、好適にはJohn Smithの医療記録を臨床医が閲覧することを可能とする適切なナビゲーションツールが伴われる。同様に、患者名「Bob Brown」又は「Mickey Red」の表示がマウスでクリックされる。斯かるポップアップの表示は、患者の特徴情報を含んでも良いが、臨床医は、患者記録の全体を閲覧することが可能であり、１つの患者の特徴又は患者の特徴の小さな群に基づいて患者の類似度を評価するようには要求されない。他の閲覧ツールの枠組みが用いられても良く、例えばポップアップウィンドウではなく、別個の表示要素（利用可能である場合；図１には示されていない）に患者記録が表示されても良いことは、理解されるであろう。
【００４２】
図４を参照すると、他の実施例においては、サンプル患者についての情報は他の態様で表示されても良い。例えば図４は、２つ以上のグラフィカルなモダリティ表現が表示要素１４に同時に表示される視覚化ツールを示している。図４の例は、３つの同時に表示されるグラフィカルなモダリティ表現を含み、それぞれは、ゲノムモダリティについてのグラフィカルなモダリティ表現７０、放射線モダリティについてのグラフィカルなモダリティ表現７２、及び臨床モダリティについてのグラフィカルなモダリティ表現７４、である。各グラフィカルなモダリティ表現７０、７２、７４は、２つ以上のモダリティの特徴に対して、ウォーターフォール（waterfall）プロットにおける１人以上のサンプル患者及びクエリ患者（図４の例においては、２人の患者Bob Brown及びMickey Red並びにクエリ患者John Smith）をプロットする。図２の例においては、ゲノムのモダリティ表現７０は、患者をＥＲ、ＨＥＲ２及びＰＲのゲノムマーカ特徴に対してプロットしている。放射線のモダリティ表現７２は、患者をテクスチャ（粗さ）、体積及び形態の画像特徴に対してプロットしている。臨床のモダリティ表現７４は、腫瘍のステージのモダリティについてのものであり、患者を腫瘍サイズ（Ｔ）、結節状態（Ｎ）及び転移値（Ｍ）の腫瘍特徴に対してプロットしている。図４から、臨床医は、提示された特徴について、サンプル患者Mickey Redに比べてサンプル患者Bob Brownのほうがクエリ患者John Smithに類似しているように考えられることを、容易に観察することができる。
【００４３】
図５を参照しながら、図４の視覚表現がより一般的に適用可能であり、インタラクティブなグラフィカルな視覚化によって患者コホートを識別するため患者データベース２０を閲覧するために用いられ得ることに注意されたい。図５の例においては、図４のゲノム、放射線及び臨床のモダリティ表現７０、７２、７４が再び表示されている。ゲノムのモダリティ表現７０においては、ＧＵＩ処理４０（図１参照）が、クラスタの各患者を個別にクリックすることのような適切な選択方法によって、又は本例においては、少なくとも１つのユーザ入力装置（例えばマウス１８、トラックボール、トラックパッド、タッチスクリーン又はその他のポインティングデバイス）を介して患者のクラスタ｛１，２，４，８｝の包含８０を受信することによって、患者のクラスタ（任意に患者｛１，２，４，８｝と示されている）の選択を受信している。他の同時に表示されているモダリティのグラフィカル表現７２、７４のそれぞれにおいては、選択８０に応答して、選択された患者のクラスタ｛１，２，４，８｝の患者が同様に強調されている。図５の例においては、当該強調は、他の全ての患者の表示を削除し、患者１、２、４及び８のみが表示されるようにすることにより、他のモダリティのグラフィカル表現７２、７４において為される。該強調は、選択されたクラスタの患者を赤色で表示し、他の患者の全てを黒色で表示し続けることのような、他の手法を用いても良い。
【００４４】
図５に示されるように、患者１、４及び８は、放射線のグラフィカル表現７２において好適に分類されているが、患者２は当該モダリティのビューにおいて分類から外れている。臨床のモダリティのグラフィカル表現７４においては、患者１及び８のみがともに分類されており、患者２及び４は外れている。これらの結果に基づいて、臨床医は、種々の結論を導くことが可能であり得る。例えば、クエリ患者が患者１である場合、患者８がクエリ患者１に最も近い患者であると決定され得（患者８が３つのビューのいずれにおいても患者１に近いため）、患者２は最も類似しないものであるように見える。他のビューにおいては、臨床医は、２つ以上の座標特徴を更新することにより、表現７２、７４の１つ以上を変更することを試みるよう決定し得、これに応答して、ＧＵＩ処理４０は、更新されたグラフィカルなモダリティ表現を再描画し、患者を更新された２つ以上のモダリティの座標特徴に対してプロットする。
【００４５】
図４及び５は、ゲノム、放射線及び臨床についての視覚化の例を示すが、種々のモダリティ表現はより一般的に、臨床、放射線、ゲノム、人口統計学、及び／又は生理学的なモダリティのようなモダリティを含んでも良い。一般的に、ユーザは、利用可能なモダリティのパレット又はリストから、どのモダリティを表示するかを選択し、更に各モダリティのどの特徴に対してプロットするかを選択しても良い。
【００４６】
以下、図４及び５の表現７０、７２、７４のような２つ以上のグラフィカルなモダリティ表現を用いて図１のＧＵＩ処理４０により適切に実行された視覚化表現及びナビゲーション処理の更に詳細な例が記載される。該手法は、例えば名前又は電子医療記録（ＥＭＲ）番号の検索を介して、クエリ患者を選択することにより開始する。名前、年齢、主治医、疾患等のような、当該患者についての基本情報が表示されても良い。グラフィカルなモダリティ表現７０、７２、７４を含む、ユーザ作業領域が表示される。図４及び５の例においては、各モダリティ表現は、円として表され、患者がプロットされるモダリティ特徴が、該円のまわりに等間隔で配置される（例えばゲノムのモダリティの場合には特定の疾患に関連する生物マーカの存在）。他の患者が、当該視覚化に自動的に統合され、いずれかの利用可能なコホート（例えば図１の患者コホート識別装置を用いて生成されたもの）から引き抜かれ、該円に配置される。このことは、より大きな患者の集団という観点から、対象の患者を配置する。デフォルトでは、全てのモダリティが同時に表示されるが、それぞれが個々に調べるためにズームインされることができる。円の周辺に配置された特徴（即ちプロットされる特徴）は選択されることができる。値が割り当てられた患者に結合されたいずれの値も、全ての利用可能なモダリティに亘って後続して強調される。後続する解析が、これらの選択された患者に対して実行されても良い。
【００４７】
任意に、ユーザが患者を選択すると、選択された患者の顕著な特性を強調する統計的な概要が、画面に表示される。当該概要は、患者の選択が更新されると、動的に更新される。該概要の内容は、離散的又は連続的といった変数の特性に基づいて記述されても良い。
【００４８】
多量の利用可能な人口統計学的、病理学的、臨床的及びゲノムの特徴（例えば幾つかの患者データベースにおいては２００以上）に対して、対象の特定のコンテキストに関連するデータの効果的な要約及び視覚化のため、生物マーカ、署名、予後スコア等及びコホートのサンプルのような特徴の選択を支援するナビゲーションツールが提供される。任意に、ＧＵＩツールもが、臨床医がカスタマイズされた選択を定義及び保存し容易に或るコンテキストから他のコンテキストに切り換えることができるようにする。
【００４９】
図５の例においては、臨床医は、データベース又は選択されたコホートにおける他の患者のコンテキストにおける選択された患者のゲノムのグラフィカルなビュー７０において、ＥＲ、ＨＥＲ２及びＰＲ受容体の状態を閲覧し、同じ患者を他のモダリティのグラフィカルなビュー７２、７４において閲覧する柔軟性を持つ。臨床医は、例えば包含８０を用いて、ゲノムのビューから関心のある患者のサブセットを選択／強調することができ、これら患者は、他のビュー７２、７４において強調される。斯くして、例えば、選択された患者｛１，２，４，８｝のＴ、Ｎ、Ｍのステージは、臨床の（癌のステージの）グラフィカルなビュー７４において閲覧され、選択された患者のＴ（腫瘍サイズ）、Ｎ（結節状態）及びＭ（転移状態）の分布が評価される（選択された患者の数が４人の選択された患者の例よりも多い場合には、より良く定義された分布が得られる見込みが高いことは、理解されるであろう）。同様に、撮像のグラフィカルなビュー７２においては、例えば体積、捩じり上げ、捩じり下げ特性、テクスチャ、及び形態特徴のようなＭＲＩ特徴が表示される。他のモダリティのビューが、臨床医により選択されても良い（図示されていない）。このようにして、臨床医は、異なるモダリティ間で、選択された患者の群について、１つのモダリティにおける特徴又は特徴の群の関連について、インタラクティブに試験することができる。
【００５０】
更なる例として、ゲノムのグラフィカルなビュー７０が更に詳細に説明される。図５に示されるように、ゲノムの層が円に表示され、乳癌を評価するタスクに適切な例が特に示されている。このタスクのため、対象の特徴は、乳癌の診断及び予後についての臨床的な有用性を示したＥＲ、ＰＲ及びＨＥＲ２活動レベルを含む（当然ながら、他のタスクについては、他の顕著なゲノム特徴がプロットのため選択される）。臨床医がアプリケーションを開くと、該アプリケーションは選択されたコホート（例えば図１のコホート識別装置を用いて生成されたもの）における他の患者とともに対象の患者（クエリ患者）を表示する。図５の例においては、３つのウォーターフォールプロット（降順でプロットされたバー）が示され、それぞれがＥＲ／ＰＲ／ＨＥＲ２活動度の１つを表し、ゲノムの円７０に均等に配置される。ナビゲーション手法の１つにおいては、クエリ患者が、コホートの残りのものに対して、円における各生物マーカについてのクエリ患者の活動レベルを強調するよう、自動的に選択される。任意に、患者を表すこれら３本のバーから、円の中心における領域まで、線（図示されていない）が描画され、コホートのＥＲ／ＰＲ／ＨＥＲ２データから算出された機械学習アルゴリズム（例えば主成分解析）が、適切に視覚化される。該線は、コホートに対して対象の患者が位置する場合へと正確に描画される。この全体的な視覚化から、例えば包含８０を用いて、類似するＥＲ／ＰＲ／ＨＥＲ２発現レベルを持つ更なる患者が選択される。機械学習空間において選択されたいずれの更なる患者も、円を囲むそれぞれのＥＲ／ＰＲ／ＨＥＲ２活動度レベルに対して引かれた線を持つこととなる。
【００５１】
選択されたグループ（例えば図５におけるグループ｛１，２，４，８｝）について、統計的な概要が提供されても良い。年齢及び遺伝子の発現値のような連続的な変数については、選択されたグループの平均が算出されても良い。性別及びＥＲ状態のような離散的な変数については、超幾何試験のような試験及びｐ値の降順に保存された特性を用いるエンリッチメント解析が実行されても良い。乳癌のデータセットについて選択された患者の典型的な概要が、表１に示される。
【表１】
2019512795.tif 000008
【００５２】
この表においては、ＦＰＫＭ（fragments per kilobase of exon per million reads mapped）が、ＲＮＡシーケンシングデータに基づいてｐ５３遺伝子の発現値を示す。これら変数の有意な数は、乳癌の診断のタスクの例に特有であり、統計的な概要の要素は、各疾患又は臨床タスクについて概要形式で適切に事前に記述される。
【００５３】
図４及び５のグラフィカルな視覚化及びナビゲーションツールは、例である。例示した円の幾何以外の幾何が利用されても良い。円の幾何の利点は、プロットされるべきモダリティの特徴の適切な数（即ち円の周りに好適にフィッティングされ得る特徴のいずれかの数）に容易に更新される点であり、正方形の幾何は、２つのモダリティの特徴に対するプロットにのみ適している。
【００５４】
１つのグラフィカルなモダリティ表現において患者のクラスタを選択する動作は、臨床医がユーザ入力装置１６、１８を操作する（例えば図５におけるような包含選択８０を為す）以外のエンティティ／機構によって実行されても良いことも想到される。例えば、図４の例においては、例えば分類処理３０のような、コンピュータ１０、１２上で動作する他のプログラムが、クエリ患者及び１人以上のサンプル患者（図４の例においてはサンプル患者Bob Brown及びMickey Red並びにクエリ患者John Smith）のセットとして患者のクラスタを選択する。
【００５５】
図１及び２に戻り参照しながら、患者レベルの適合性フィードバックを用いた患者コホート識別喜悦の実装の他の例がテキストで説明され、以下のステップを含む。
【００５６】
ステップ１：大量のデータセット（第２の実施例においては百万以上のサンプル）における全ての患者及び選択された患者の特徴に対する階層的な分類をもちいて、教師なし学習を実行する。
【００５７】
ステップ２：クラスタの数を決定し、クラスタのセントロイドを算出する。
【００５８】
ステップ３：全ての特徴に基づいてクエリ患者ＰＱを含むクラスタを選択し、同じクラスタから付加的なシード（seed）を選択する。
【００５９】
ステップ４：各シードについて、患者比較メトリックを用いて測定された全ての異なるクラスタのセントロイドに対する当該患者の距離に基づいて、最も類似する患者を見つける。
【００６０】
ステップ５：（単一のクラスタに属するもののうち）類似する患者の優先順位付けされたリストに基づいて、サンプル及び現在のサンプルに類似するサンプルを選択する。
【００６１】
ステップ６：一度に１つの特徴を削除することにより、どの特徴が患者の当該類似度を重要とするかを決定する。
【００６２】
ステップ７：患者比較メトリックを用いて、現在の患者と全ての選択された患者との間の距離を見出す。
【００６３】
ステップ８：中央値が０に近い列を見つける。大きな数を持つ列を破棄する。
【００６４】
ステップ９：選択された特徴に基づいて、選択された分類のみを用いて、データセット全体に対して教師なし分類を実行する。
【００６５】
ステップ１０：元のクエリ患者ＰＱのクラスタ又は選択された患者の大部分が出現するクラスタにおける患者を最後に提示する。
【００６６】
最後に、サンプルのセットが全て臨床医に関連するものとなるまで、以上のステップ１乃至１０を反復的に繰り返す。
【００６７】
本発明は、好適な実施例を参照しながら説明された。以上の詳細な説明を読むことにより、他への変更及び変形が生じ得る。本発明は、添付される請求の範囲又はそれと同等のものの範囲内である限り、斯かる変更及び変形の全てを含むものとして解釈されることを意図される。
【図１】
2019512795.tif 000009
【図２】
2019512795.tif 000010
【図３】
2019512795.tif 000011
【図４】
2019512795.tif 000012
【図５】
2019512795.tif 000013
【国際調査報告】
2019512795.tif 000014
2019512795.tif 000015